(57)【要約】【課題】指紋データによって識別された使用者の個人データに基づいて、使用者の使用状態を調整する装置を提供する。【解決手段】本発明による装置は、指紋データを取得する指紋データ取得部（１０１）と、指紋データを含む個人のデータを記憶する個人データ記憶部（１０５）と、前記個人データ記憶部に記憶された、指紋データと新たに取得した指紋データとを比較することによって、個人を識別する識別部（１０３）と、識別された個人のデータに基づいて、使用状態の調整を行う調整部（１０９）と、を備える。本発明による装置は、前記指紋データ取得部が、複数の指の指紋データを取得し、前記識別部が、前記指紋データ取得部によって取得したいずれかの指の指紋データが、前記個人データ記憶部に記憶された所定の個人の指紋データと一致する場合に、前記所定の個人を識別し、使用状態の調整を行うことを特徴とする。【選択図】図１
2008234145.tif 000002
【特許請求の範囲】
【請求項１】
指紋データを取得する指紋データ取得部と、
指紋データを含む個人のデータを記憶する個人データ記憶部と、
前記個人データ記憶部に記憶された、指紋データと新たに取得した指紋データとを比較することによって、個人を識別する識別部と、
識別された個人のデータに基づいて、使用状態の調整を行う調整部と、を備え、
前記指紋データ取得部が、複数の指の指紋データを取得し、前記識別部が、前記指紋データ取得部によって取得したいずれかの指の指紋データが、前記個人データ記憶部に記憶された所定の個人の指紋データと一致する場合に、前記所定の個人を識別し、使用状態の調整を行うことを特徴とする装置。
【請求項２】
前記指紋データ取得部がそれぞれの指の指紋データを取得する位置を定めたことを特徴とする請求項１に記載の装置。
【請求項３】
前記装置が、データ記憶領域をさらに備え、識別された個人のデータに基づいて、前記調整部が前記データ記憶領域中に個人専用の領域を定めることを特徴とする請求項１または２に記載の装置。
【請求項４】
使用者に合わせて調整された設定データを取得する設定データ取得部をさらに備えたことを特徴とする請求項１から３のいずれか１項に記載の装置。
【請求項５】
個人のデータを個人データ記憶部に記憶させる個人データ登録モードと、個人を識別する個人識別モードと、使用状態の調整を行う調整モードと、を区別し、それぞれのモードにおいて各部の制御を行う制御部をさらに備えたことを特徴とする請求項１から４のいずれか１項に記載の装置。
【発明の詳細な説明】
【技術分野】
【０００１】
本発明は、指紋データによって識別された使用者のデータに基づいて、使用者の使用状態を調整する装置に関する。
【背景技術】
【０００２】
装置には、使用される際に、使用者に合わせて使用状態の調整を行う必要のある装置がある。たとえば、自動車では、座席の位置や高さ、ハンドルの角度やミラーの位置などの調整が必要である。また、双眼鏡では、眼幅（２個の眼球の間の距離）や視度の調整が必要である。
【０００３】
他方、指紋データなどによって使用者を識別する装置は既に広く使用されている。具体的に、主にセキュリティを目的として、指紋データによって使用者を識別する装置は開発されている（たとえば、特許文献１）。
【０００４】
しかし、指紋データによって使用者を識別し、使用者に合わせて使用状態の調整を行う装置は開発されていない。
【０００５】
【特許文献１】特開平8-185519号公報
【発明の開示】
【発明が解決しようとする課題】
【０００６】
したがって、指紋データによって識別された使用者の個人データに基づいて、使用者の使用状態を調整する装置に対するニーズがある。
【課題を解決するための手段】
【０００７】
本発明による装置は、指紋データを取得する指紋データ取得部と、指紋データを含む個人のデータを記憶する個人データ記憶部と、前記個人データ記憶部に記憶された、指紋データと新たに取得した指紋データとを比較することによって、個人を識別する識別部と、識別された個人のデータに基づいて、使用状態の調整を行う調整部と、を備える。本発明による装置は、前記指紋データ取得部が、複数の指の指紋データを取得し、前記識別部が、前記指紋データ取得部によって取得したいずれかの指の指紋データが、前記個人データ記憶部に記憶された所定の個人の指紋データと一致する場合に、前記所定の個人を識別し、使用状態の調整を行うことを特徴とする。
【０００８】
本発明による装置によれば、指紋データによって識別された使用者の個人データに基づいて、使用者の使用状態を調整することができる。特に複数の指の指紋データを採取し、いずれかの指の指紋データが、記憶部に記憶された所定の個人の指紋データと一致する場合に、所定の個人を識別するので、複数の指の一部の指紋データが採取できない場合や、複数の指の一部の指紋データの一致が得られない場合であっても、高い確率で個人識別を行うことができる。このように、本装置は、使用状況にかかわらず、簡単にかつ高い確率で個人識別を行うことができる。
【０００９】
本発明の実施形態による装置は、前記指紋データ取得部がそれぞれの指の指紋データを取得する位置を定めたことを特徴とする。
【００１０】
本実施形態による装置によれば、それぞれの指の指紋データを取得する位置を定めたことにより確実に指紋データを取得することができる。
【００１１】
本発明の他の実施形態による装置は、前記装置が、データ記憶領域をさらに備え、識別された個人のデータに基づいて、前記調整部が前記データ記憶領域中に個人専用の領域を定めることを特徴とする。
【００１２】
本実施形態による装置によれば、複数の使用者が装置を使用する場合でも、データ記憶領域において個人専用の領域を定めてデータを記憶するので、個人のプライバシーが保護され、個人ごとに管理を行うことができる。
【００１３】
本発明の他の実施形態による装置は、使用者に合わせて調整された設定データを取得する設定データ取得部をさらに備えたことを特徴とする。
【００１４】
本実施形態による装置によれば、使用者にとって最適に調整した使用状態を装置に記憶させることができる。
【００１５】
本発明の他の実施形態による装置は、個人のデータを個人データ記憶部に記憶させる個人データ登録モードと、個人を識別する個人識別モードと、使用状態の調整を行う調整モードと、を区別し、それぞれのモードにおいて各部の制御を行う制御部をさらに備えたことを特徴とする。
【００１６】
本実施形態による装置によれば、使用者は、個人データ登録モード、個人識別モードおよび調整モードを選択して、それぞれの処理を実行させることができる。
【発明の効果】
【００１７】
本発明によれば、指紋データによって識別された使用者の個人データに基づいて、使用者の使用状態を調整する装置が得られる。
【発明を実施するための最良の形態】
【００１８】
図１は、本発明の一実施形態による、使用者の使用状態を調整する装置の構成を示す図である。
【００１９】
本実施形態による装置は、指紋データ取得部１０１と、識別部１０３と、個人データ記憶部１０５と、設定データ取得部１０７と、調整部１０９と、制御部１１１と、を備える。
【００２０】
指紋データ取得部１０１は、使用者の指紋データを取得する。
【００２１】
個人データ記憶部１０５は、指紋データを含む個人データを記憶する。
【００２２】
識別部１０３は、指紋データ取得部１０１によって取得された指紋データと、個人データ記憶部１０５に記憶された指紋データとを比較し、両方の指紋データが一致すれば、一致した指紋データに対応する個人を識別する。
【００２３】
設定データ取得部１０７は、使用者に合わせて調整された設定データを取得し、個人データ記憶部１０５に記憶させる。設定データとは、たとえば、自動車の場合には、座席の位置や高さ、ハンドルの角度やミラーの位置などであり、双眼鏡の場合には、眼幅（２個の眼球の間の距離）や視度などである。
【００２４】
調整部１０９は、個人データ記憶部１０５の、識別された使用者の設定データを読み取り、装置に設定する。
【００２５】
制御部１１１は、動作モードにしたがって、指紋データ取得部１０１、識別部１０３、設定データ取得部１０７および調整部１０９を制御する。動作モードには、個人データ登録モードと、個人識別モードと、調整モードと、がある。これらのモードは、装置に備えたスイッチなどにより使用者が選択できるように構成されている。それぞれのモードについて、以下に説明する。
【００２６】
図２は、個人データ登録モードの処理を示す流れ図である。個人データ登録モードが選択されると、制御部１１１は、指紋データ取得部１０１が指紋データを取得し、その後、設定データ取得部１０７が設定データを取得するように指示する。
【００２７】
図２のステップＳ２０１０において、指紋データ取得部１０１は、指紋データを取得する。指紋データとして、光を照射して指紋のパターンの画像を取得してもよい。指紋データ取得部１０１は、複数の指の指紋データを取得するのが好ましい。また、装置において、それぞれの指の指紋データを取得する位置を定めておいてもよい。指紋データ取得部は、指紋データ取得の指示があった場合に、接触式のセンサなどにより指紋データを取得する位置に指が接触していることを確認した場合に指紋データを取得するようにしてもよい。このように、それぞれの指の指紋データを取得する位置を定め、指紋データを取得する位置に指が接触していることを確認した場合に指紋データを取得することにより確実に指紋データを取得することができる。
【００２８】
図５は、デジタルカメラにおける、それぞれの指の指紋データを取得する位置の一例を示す図である。図５の（ａ）は、デジタルカメラのレンズを備えた面を示す図である。該面には、中指、薬指および小指の指紋データを取得する位置が備わる。図５の（ｂ）は、デジタルカメラの上側の面を示す図である。該面には、人差し指の指紋データを取得する位置が備わる。図５の（ｃ）は、デジタルカメラのファインダーを備えた面（レンズを備えた面と反対側の面）を示す図である。該面には、親指の指紋データを取得する位置が備わる。
【００２９】
図６は、自動車のハンドルにおける、それぞれの指の指紋データを取得する位置の一例を示す図である。図６の（ａ）は、ハンドルの表側を示す図である。図６の（ｂ）は、ハンドルの裏側を示す図である。ハンドルには、親指、人差し指、中指、薬指および小指の指紋データを取得する位置が備わる。
【００３０】
図７は、双眼鏡における、それぞれの指の指紋データを取得する位置の一例を示す図である。図７の（ａ）は、双眼鏡の上側を示す図である。双眼鏡の上側には、人差し指、中指、薬指および小指の指紋データを取得する位置が備わる。図７の（ｂ）は、双眼鏡の下側を示す図である。双眼鏡の下側には、親指の指紋データを取得する位置が備わる。
【００３１】
指紋データ取得部１０１は、取得したそれぞれの指の指紋データを個人データ記憶部１０５に記憶させる。その場合に、個人の指紋データを取得するごとに、個人データ記憶部１０５に、該個人用の領域を設けて該領域に記憶させる。
【００３２】
図２のステップＳ２０２０において、設定データ取得部１０７が設定データを取得する。上記のように、設定データとは、たとえば、自動車の場合には、座席の位置や高さ、ハンドルの角度やミラーの位置などであり、双眼鏡の場合には、眼幅（２個の眼球の間の距離）や視度などである。これらの設定データは、個人データ登録モードを実施する前に、使用者にとって最適な使用状態に調整しておく。設定データ取得部１０７は、取得した設定データを、個人データ記憶部１０５の、対応する個人用の領域に記憶させる。この結果、個人データ記憶部１０５において、使用者にとって最適な使用状態に調整された設定データが、該使用者の指紋データと関連して記憶される。
【００３３】
他の実施形態において、個人データ登録モードにおいて指紋データの取得と設定データの取得とを選択的に実施できるように構成してもよい。ただし、設定データの取得を実施するには、個人の識別が既に完了している必要がある。
【００３４】
図３は、個人識別モードの処理を示す流れ図である。個人識別モードが選択されると、制御部１１１は、指紋データ取得部１０１が指紋データを取得し、その後、識別部１０３が取得した指紋データと個人データ記憶部１０５に記憶された指紋データとを比較するように指示する。
【００３５】
図３のステップＳ３００５において、制御部１１１は、個人データ記憶部１０５に少なくとも一人の指紋データが記憶されているかどうか判断する。個人データ記憶部１０５に少なくとも一人の指紋データが記憶されていれば、ステップＳ３０１０に進む。そうでなければ、ステップＳ３０１５に進む。
【００３６】
図３のステップＳ３０１５において、制御部１１１は、「指紋データなし」を表示して処理を終了する。
【００３７】
図３のステップＳ３０１０において、制御部１１１は、指紋データ取得部１０１が指紋データを取得するように指示し、指紋データ取得部１０１が指紋データを取得する。指紋データの取得方法については、ステップＳ２０１０に関して説明したとおりである。
【００３８】
図３のステップＳ３０２０において、識別部１０３が、取得した指紋データと個人データ記憶部１０５に記憶された指紋データとを比較する。いずれかの指の指紋データが、個人データ記憶部１０５に記憶された所定の個人の指紋データと一致する場合に、指紋データが一致するとして、当該所定の個人を識別するようにしてもよい。このようにすれば、高い確率で個人識別を行うことができる。個人識別が完了した場合には、ステップＳ３０３０に進む。個人識別が完了しない場合には、ステップＳ３０４０に進む。
【００３９】
図３のステップＳ３０３０において、制御部１１１が「識別完了」を表示する。また、制御部１１１は、個人識別が完了している状態および識別された個人を記憶する。
【００４０】
図３のステップＳ３０４０において、制御部１１１は、「識別不可」を表示して処理を終了する。
【００４１】
図４は、調整モードの処理を示す流れ図である。調整モードが選択されると、制御部１１１は、個人識別が完了しており、個人データ記憶部１０５が識別された個人の設定データを記憶しているかどうか判断する。個人識別が完了しており、個人データ記憶部１０５が識別された個人の設定データを記憶している場合に、制御部１１１は、調整部１０９が、識別された個人の設定データを設定するように指示する。詳細には、以下のとおりである。
【００４２】
図４のステップＳ４０１０において、制御部１１１は、個人識別が完了しているかどうか判断する。個人識別が完了している場合にはステップＳ４０２０に進み、個人識別が完了していない場合にはステップＳ４０３０に進む。
【００４３】
図４のステップＳ４０３０において、制御部１１１は、「個人識別未完」を表示して処理を終了する。
【００４４】
図４のステップＳ４０２０において、制御部１１１は、個人データ記憶部１０５に識別された個人の設定データが記憶されているかどうか判断する。個人の設定データが記憶されている場合にはステップＳ４０４０に進み、個人の設定データがない場合にはステップＳ４０５０に進む。
【００４５】
図４のステップＳ４０４０において、制御部１１１は、調整部１０９が、識別された個人の設定データを設定するように指示し、調整部１０９が、識別された個人の設定データを設定する。
【００４６】
識別された個人の設定データを設定することにより、たとえば、自動車の場合には座席の高さなどが調整され、双眼鏡の場合には視度などが調整される。また、デジタルカメラなど、画像などのデータをデータ記憶領域に記憶する装置において、データ記憶領域における使用者専用領域のアドレスを設定データとしてもよい。その場合に、データ記憶領域において、識別された個人ごとに、順次専用領域を割り当てるようにしてもよい。
【００４７】
図４のステップＳ４０５０において、制御部１１１は、「設定データなし」を表示して処理を終了する。
【００４８】
各モードは、使用者の選択によって開始するようにしてもよい。その場合には、使用者がモードを選択しない限り、個人データ登録、個人識別および調整などの処理は行われない。あるいは、装置の立ち上げの際に、個人識別モードが選択され、個人識別が完了しない限り装置が使用できないように構成してもよい。その場合に、指紋データを登録していない使用者に対しては、個人データ登録モードを選択することによって指紋データを登録できるように構成してもよい。
【００４９】
デジタルカメラの場合に、個人識別が完了していない場合には、データ記憶領域の共用領域を使用し、個人識別が完了している場合には個人の専用領域を使用するように構成してもよい。
【００５０】
本発明によれば、指紋データによって識別された使用者の個人データに基づいて、使用者の使用状態を調整する装置が得られる。
【図面の簡単な説明】
【００５１】
【図１】本発明の一実施形態による、使用者の使用状態を調整する装置の構成を示す図である。
【図２】個人データ登録モードの処理を示す流れ図である。
【図３】個人識別モードの処理を示す流れ図である。
【図４】調整モードの処理を示す流れ図である。
【図５】デジタルカメラにおける、それぞれの指の指紋データを取得する位置の一例を示す図である。
【図６】自動車のハンドルにおける、それぞれの指の指紋データを取得する位置の一例を示す図である。
【図７】双眼鏡における、それぞれの指の指紋データを取得する位置の一例を示す図である。
【符号の説明】
【００５２】
１０１…指紋データ取得部、１０３…識別部、１０５…個人データ記憶部、１０７…設定データ取得部、１０９…調整部、１１１…制御部
【図１】
2008234145.tif 000003
【図２】
2008234145.tif 000004
【図３】
2008234145.tif 000005
【図４】
2008234145.tif 000006
【図５】
2008234145.tif 000007
【図６】
2008234145.tif 000008
【図７】
2008234145.tif 000009